(57)【要約】【課題】便座を使用後に自動洗浄し、且つ自動乾燥して便座を清潔に保つ、便座自動洗浄装置の提供。【解決手段】本考案の便座自動洗浄装置は、枠状を呈し、前記便器本体上部周縁に周設された便座と、後方が便座に枢着され、前記便座に対して開閉される蓋体と、洗浄液を出力する液体輸送装置と、制御ユニットを含み、そのうち、便座は使用者が腰掛けることができ、蓋体底面には便座に相対し液体輸送装置に接続された周設管が設置され、且つ、周設管上に間隔をあけて複数の孔部が設置され、使用者がトイレを使用した後、蓋体を便座に被せると、制御ユニットが液体輸送装置の出力する洗浄液を周設管の孔部から出力し、便座表面を洗浄して衛生を保つ効果が達せられる。【選択図】図２
0003140480.tif 000002
【実用新案登録請求の範囲】
【請求項１】
便座と、蓋体と、液体輸送装置と、制御ユニットを含み、そのうち、前記便座は枠状を呈し、便器本体上部周縁に周設され、その後方に枢着部が設けられ、周縁に突出したリブ部が設けられ、前記リブ部の内縁部に間隔をあけて排列された通孔が形成され、且つ、前記通孔は便器本体上部内側上方に位置し、前記蓋体は後方が前記便座の枢着部に枢着され、持ち上げたり、前記便座上に被せたりすることができ、その底面に前記便座のリブ部に相対し間隔をあけて設けられた孔部を有する周設管が設置され、且つ、前記周設管が前記蓋体の外まで延伸されてセイフティセイフティバルブが設置され、前記液体輸送装置は少なくとも洗浄液を入れた容器と、前記容器とセイフティセイフティバルブの間を接続する輸送管を含み、前記輸送管及びセイフティセイフティバルブを介して前記容器内の洗浄液を前記周設管に出力することができ、前記制御ユニットは前記セイフティセイフティバルブの開閉を制御し、前記蓋体が前記便座に被せられると、前記制御ユニットが前記セイフティセイフティバルブを開き、前記液体輸送装置が周設管内に輸送した洗浄液を前記孔部から出力して前記便座の上表面を洗浄し、且つ洗浄後の洗浄液は前記通孔から便器本体内に落下することを特徴とする、便座自動洗浄装置。       
【請求項２】
前記枢着部に駆動機構が設けられ、前記駆動機構が少なくともローラー及びシリンダを含み、前記便座を前記ローラーの軸心に接続し、且つ前記ローラーの偏心位置に前記シリンダを接続し、前記シリンダの伸縮によりローラーを回動させ、便座の上げ下げを制御することを特徴とする、請求項１に記載の便座自動洗浄装置。
【請求項３】
前記周設管と輸送管の間が複数の分岐管で相互に接続されることを特徴とする、請求項１に記載の便座自動洗浄装置。        
【請求項４】
前記制御ユニットがさらに、前記便座底部に設置された検知スイッチを含み、前記便座が便器本体上にあるとき、前記検知スイッチが導通状態となり、前記便座が前記便器本体に対して持ち上げられると、前記検知スイッチがオフ状態となることを特徴とする、請求項１に記載の便座自動洗浄装置。
【請求項５】
前記検知スイッチが常開型押圧スイッチであり、前記便座位が便器本体上にあるとき、便座の重量により前記常開型押圧スイッチが導通状態となることを特徴とする、請求項４に記載の便座自動洗浄装置。        
【請求項６】
前記制御ユニットがさらに電磁水弁及び電磁空気弁を含み、且つ、前記電磁水弁及び電磁空気弁と輸送管の間にセイフティセイフティバルブを設置したことを特徴とする、請求項１に記載の便座自動洗浄装置。
【請求項７】
前記電磁水弁が洗浄液を入れた容器に接続され、前記電磁空気弁が電熱部材に接続されることを特徴とする、請求項６に記載の便座自動洗浄装置。       
【請求項８】
前記蓋体に設置された輸送管が接続されたセイフティセイフティバルブが、前記輸送管に通孔を有する凹槽が設けられ、且つ、水管に前記凹槽に対応する嵌合部が設けられ、前記嵌合部に通孔を設け、前記嵌合部を前記凹槽内に嵌置し、前記蓋体の上げ下げにより前記輸送管が回動され、前記嵌合部と前記凹槽の通孔が重なり合ったり、ずれた状態になったりし、止水または出水の制御を構成することを特徴とする、請求項６に記載の便座自動洗浄装置。
【請求項９】
前記便座の前端部に嵌入溝が設けられ、前記蓋体の前端部の下縁部にボタンが設置され、前記ボタンはバネに被せて設置されたフック部が設けられ、蓋体を下したとき、前記フック部が便座の嵌入溝に掛止されることを特徴とする、請求項１に記載の便座自動洗浄装置。       
【請求項１０】
前記容器がさらに消毒液滴下装置を含むことを特徴とする、請求項１に記載の便座自動洗浄装置。
【考案の詳細な説明】
【技術分野】
【０００１】
本考案は便座自動洗浄装置に関し、特に、トイレの使用後自動的に便座を洗浄し、且つ自動的に乾燥する、自動洗浄装置に関する。
【背景技術】
【０００２】
一般に公共の場所のトイレ便器は、図１に示すように、便器本体１及び便座１１、蓋体１２が設置され、公共物品に属するため、公衆道徳心のない使用者が衛生問題を考慮し、前記便座１１を上げずに両足で便座１１上を踏んで使用することがよくあり、便座１１が汚れてしまい、その後の使用者が使用できなくなったり、使用したくなくなったりしてしまう。一部の場所には便座１１上に敷く紙シートが用意されているが、使用上非常に面倒である。またもし衛生状態を無視して直接汚れた便座１１に座ってしまうと、細菌やウィルス感染の危険がある。さらに、一般のハイヒールを着用した女性が便座１１上に乗るのは非常に危険である。この問題に鑑みて、考案者は関連業務に従事した長年の経験に基づき研究と実験を重ね、改良を行い、便器に自動洗浄作用を持たせ、便座を清潔に保つようにしたものである。
【考案の開示】
【考案が解決しようとする課題】
【０００３】
本考案の主な目的は、便座を使用後に自動洗浄し、且つ自動乾燥して便座を清潔に保つ、便座自動洗浄装置を提供することにある。          
【課題を解決するための手段】
【０００４】
前述の便座自動洗浄装置は、便座、蓋体、液体輸送装置及び制御ユニットを含み、そのうち、前記便座は枠状を呈し便器本体上部周縁に周設され、その後方に駆動機構に接続された枢着部が設置され、周縁に突出したリブ部が設けられ、前記リブ部の内縁部に間隔をあけて排列された通孔が設けられ、且つ、通孔は便器本体上部内側上方に位置する。前記蓋体は底縁部に間隔をあけて配置された孔部を備えた周設管が設置され、前記周設管は複数の分岐管を介して輸送管に接続され、且つ、前記輸送管がセイフティバルブに接続され、前記セイフティバルブが電磁水弁及び電磁空気弁に接続され、前記電磁水弁が洗浄液を入れた容器に、前記電磁空気弁が電熱部材にそれぞれ接続される。便器水洗装置が起動されると、駆動機構により前記蓋体が動かされて便座を被覆し、且つ、液体輸送装置及び制御ユニットが蓋体底部の周設管に設けた孔部から水を便座に噴きかけ、且つ電熱部材の熱風で便座を乾燥させて、便座洗浄の効果を達する。
【０００５】
前述の便座自動洗浄装置において、前記便座に接続された駆動機構は、ローラー及びシリンダが設けられ、前記ローラーの偏心位置に前記シリンダが接続され、前記シリンダの伸縮によりローラーが回動されて、便座の上げ下げが制御される。
【０００６】
前述の便座自動洗浄装置において、前記蓋体に設けられた輸送管に接続されたセイフティバルブは、前記輸送管に設けた通孔を有する凹槽に設置され、且つ、水管に前記凹槽に対応する嵌合部が設けられ、前記嵌合部に通孔が形成され、前記嵌合部を前記凹槽内に嵌置し、前記蓋体の上げ下げ時に輸送管が回動され、嵌合部と凹槽の通孔が重なり合ったり、ずれた状態になったりし、止水または出水の制御が構成される。
【０００７】
前述の便座自動洗浄装置において、前記便座の前端部に嵌入溝を設け、蓋体前端部の下縁部にボタンを設置し、前記ボタンはバネに被せて設置されたフック部が設けられ、蓋体を下したとき、このフック部が便座の嵌入溝に掛止され、便座洗浄後に両者を同時に持ち上げることができる。
【考案を実施するための最良の形態】
【０００８】
図２、図３、図４、図５及び図１１に示すように、本考案は主に便座２、蓋体３、液体輸送装置３３及び制御ユニット３９を含み、そのうち、前記便座２は枠状を呈し、便器本体上部周縁に周設され、その後方に枢着部４が設置され、前記便座２周縁に突出したリブ部２１が設けられ、前記リブ部２１の内縁部に間隔をあけて排列された通孔２２が設けられ、且つ、通孔２２は便器本体上部内側上方に位置し、その前端部に嵌入溝２３が設けられる。
【０００９】
前記蓋体３の後ろ側には便座２に枢着される枢着部４が設けられ、これにより上方向に便座２を持ち上げたり、閉じたりすることができ、その前端下縁部にボタン３０が設置され、前記ボタン３０はバネ３０１に被せて設置されたフック部３０２が設けられ、その底面が便座２のリブ部の間隔をあけて配置された孔部３１１を有する周設管３１に相対し、且つ、周設管３１が蓋体３の外まで延伸されてセイフティバルブ３４が設置される。
【００１０】
前記液体輸送装置３３はさらに、洗浄液を入れた容器３７、容器３７とセイフティバルブ３４の間を接続する輸送管３３３を含み、輸送管３３３及びセイフティバルブ３４を介して容器３７内の洗浄液を周設管３１に出力することができ、且つ、前記周設管３１は複数の分岐管３２を介して輸送管３３３に接続され、且つ、前記輸送管３３３をセイフティバルブ３４に接続させる。
【００１１】
このほか、前記セイフティバルブ３４はさらに電磁水弁３５及び電磁空気弁３６に接続され、電磁水弁３５が容器３７に、電磁空気弁３６が電熱部材３８にそれぞれ接続され、前記容器３７はさらに消毒液滴下装置３７１を設けることができ、且つ、前記容器３７は水道管に接続される。前記電磁水弁３５、電磁空気弁３６及び電熱部材３８はそれぞれ制御ユニット３９に接続される。
【００１２】
図６に示すように、本考案の便座２に接続された枢着部４はさらに駆動機構が設置され、この駆動機構はローラー４１及びシリンダ４２を含み、前記便座２を前記ローラー４１の軸心に接続し、且つ、前記ローラー４１の偏心位置に前記シリンダ４２を接続して、前記シリンダ４２の伸縮によりローラー４１を回動させ、便座２の上げ下げを制御する。
【００１３】
図７に示すように、本考案は輸送管３３３に接続されたセイフティバルブ３４が水管５に接合され、そのうち、前記輸送管３３３は通孔３３１を備えた凹槽３３２が設けられ、且つ、前記水管５に前記凹槽３３２に対応する嵌合部５１が設けられ、前記嵌合部５１に通孔５１１が形成され、前記嵌合部５１を凹槽３３２内に嵌置し、前記蓋体３の上げ下げ時に輸送管３３３が回動され、嵌合部５１と凹槽３３２の通孔５１１、３３１がずれた状態になったり、重ね合わさったりし、止水または出水の制御が構成される。
【００１４】
前述の構成部材の組み合わせにより、便座自動洗浄装置が構成され、トイレの使用後に便器水洗装置が起動されると、蓋体３の周設管３１に設けた孔部３１１から便座２に水が噴き付けられ、且つ熱風で便座２を乾燥させ、便座洗浄の効果が達成される。
【００１５】
図８、図９、及び図５、図６に示すように、本考案はトイレ使用後、便器水洗装置が起動されると、制御ユニット３９によりシリンダ４２が伸出されてローラー４１が回動され、便座２が下げられ、同時に電磁水弁３５が開かれて容器３７及び消毒液滴下装置３７１の水が水管５に沿って輸送され、前記水管５の嵌合部５１と輸送管３３３の凹槽３３２の通孔５１１、３３１が輸送管３３３の回動により開放状態となって出水が構成され、水が前記輸送管３３３から蓋体３の周設管３１に輸送され、且つ、孔部３１１から水が便座２に噴き付けられて、便座２を洗浄する。且つ、洗浄後は電磁水弁３５が閉じ、同時に電磁空気弁３６及び電熱部材３８がオンになり、熱風が蓋体３の管体３１に設けた孔部３１１から便座２に吹きつけられ、便座２を一定時間乾燥させた後、前記電磁空気弁３６及び電熱部材３８がオフになり、一つの循環的洗浄動作が形成される。
【００１６】
同時に図１０及び図１１に示すように、本考案は洗浄、乾燥後、制御ユニット３９がシリンダ４２を収縮させてローラー４１を回動させ、便座２を持ち上げると同時に、前記水管５の嵌合部５１と輸送管３３３の凹槽３３２の通孔５１１、３３１が輸送管３３３の回動によってずれた状態になり、止水が構成され、そのうち、前記便座２の前端部の下縁部に設置されたボタン３０のフック部３０２が、バネ３０１の付勢により便座２の嵌入溝２３に掛止され、便座２と蓋体３が同時に持ち上げられ、再度使用するときはボタン３０を押すだけで、フック部３０２が嵌入溝２３から離脱し、便座２を再度下すことができる。
【００１７】
このほか、図４に示すように、制御ユニット３９はさらに便座２底部に設置された検知スイッチ２４を含み、便座２が便器本体上に位置することを検知すると、検知スイッチ２４が制御ユニット３９をオンの状態に導通し、便座２が便器本体に対して持ち上げられたことを検知スイッチ２４が検知すると、制御ユニット３９がオフの状態になる。さらに、前記検知スイッチ３９は常開型押圧スイッチとして設けてもよく、便座２が便器本体上部にあるときは、便座２の重量により前記常開型押圧スイッチが制御ユニット３９を導通した状態となり、便器本から持ち上げられると、前記常開型押圧スイッチがオフの状態になるようにする。このため、便座２が持ち上げられた状態のとき、本考案の便器水洗装置は起動されず、逆に、便座２が便器本体上部にあるときは有効に起動される。
【００１８】
上述をまとめると、本考案は噴水孔を設けた蓋体に複数の管体を組み合わせることで、トイレ使用後に便座を自動洗浄し、且つ自動乾燥して便座を衛生的に保つことができ、実用的な設計であり、新規性を備えた創作であるため、法に基づき実用新案登録を出願するものである。
【図面の簡単な説明】
【００１９】
【図１】従来の便器の立体図である。
【図２】本考案の立体図である。
【図３】本考案の蓋体の平面図である。
【図４】本考案の蓋体及び便座の断面図である。
【図５】本考案の配管図である。
【図６】本考案の駆動機構の側面図である。
【図７】本考案のセイフティバルブの断面図である。
【図８】本考案のセイフティバルブの出水時の断面図である。
【図９】本考案の洗浄の実施時の断面図である。
【図１０】本考案のセイフティバルブの止水時の断面図である。
【図１１】本考案の蓋体及び便座の係合を示す断面図である。
【符号の説明】
【００２０】
１        便器本体
１１      便座
１２      蓋体
２        便座
２１      リブ部
２２      通孔
２３      嵌入溝
２４      検知スイッチ
３        蓋体
３０      ボタン
３０１    バネ
３０２    フック部
３１      周設管
３１１    孔部
３２      分岐管
３３      液体輸送装置
３３３    輸送管
３３１    通孔
３３２    凹槽
３４      セイフティバルブ
３５      電磁水弁
３６      電磁空気弁
３７      容器
３７１    消毒液滴下装置
３８      電熱部材
３９      制御ユニット
４        枢着部
４１      ローラー
４２      シリンダ
５        水管
５１      嵌合部
５１１    通孔
【図１】
0003140480.tif 000003
【図２】
0003140480.tif 000004
【図３】
0003140480.tif 000005
【図４】
0003140480.tif 000006
【図５】
0003140480.tif 000007
【図６】
0003140480.tif 000008
【図７】
0003140480.tif 000009
【図８】
0003140480.tif 000010
【図９】
0003140480.tif 000011
【図１０】
0003140480.tif 000012
【図１１】
0003140480.tif 000013